【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
払出条件の成立に起因して遊技媒体を払い出す払出装置と、
遊技機の異常有無検出を判断する異常判断手段と、
前記異常判断手段により異常有りと判断されたことを起因に前記払出装置の払出動作の実行を停止する払出停止手段と、
を備える遊技機において、
前記異常判断手段によって異常有無が判断される異常判断は、少なくとも第１の異常判断と第２の異常判断を有し、前記第１の異常判断と第２の異常判断の検出時間が異なり、
前記払出停止手段は、前記払出装置が複数個の遊技媒体の払出動作中に前記異常判断手段により異常有りと判断された場合で且つ前記複数個の遊技媒体のうち払い出しが終了していない前記遊技媒体の払出個数が予め設定されている停止払出個数以上の場合には、前記払出動作中の遊技媒体を前記停止払出個数払い出した後、次の遊技媒体の払出前に払出動作を停止し、少なくとも設定した休止時間が経過するまで前記払出動作の停止を継続し、
前記払出停止手段は、前記払出装置が複数個の遊技媒体の払出動作中に前記異常判断手段により異常有りと判断された場合で且つ前記遊技媒体の未払出個数が前記停止払出個数未満の場合には、前記払出動作中の遊技媒体のうち未払出個数を払い出した後に払出動作を停止し、少なくとも設定した休止時間が経過するまで前記払出動作の停止を継続し、
前記異常判断手段は、前記休止時間よりも短い時間に設定された異常検出時間の間継続して異常を検出した場合に異常有りと判断することを特徴とする遊技機。
【手続補正２】
【補正対象書類名】明細書
【補正対象項目名】０００６
【補正方法】変更
【補正の内容】
【０００６】
請求項１の発明は、払出条件の成立に起因して遊技媒体を払い出す払出装置と、遊技機の異常有無検出を判断する異常判断手段と、前記異常判断手段により異常有りと判断されたことを起因に前記払出装置の払出動作の実行を停止する払出停止手段と、を備える遊技機において、前記異常判断手段によって異常有無が判断される異常判断は、少なくとも第１の異常判断と第２の異常判断を有し、前記第１の異常判断と第２の異常判断の検出時間が異なり、前記払出停止手段は、前記払出装置が複数個の遊技媒体の払出動作中に前記異常判断手段により異常有りと判断された場合で且つ前記複数個の遊技媒体のうち払い出しが終了していない前記遊技媒体の払出個数が予め設定されている停止払出個数以上の場合には、前記払出動作中の遊技媒体を前記停止払出個数払い出した後、次の遊技媒体の払出前に払出動作を停止し、少なくとも設定した休止時間が経過するまで前記払出動作の停止を継続し、前記払出停止手段は、前記払出装置が複数個の遊技媒体の払出動作中に前記異常判断手段により異常有りと判断された場合で且つ前記遊技媒体の未払出個数が前記停止払出個数未満の場合には、前記払出動作中の遊技媒体のうち未払出個数を払い出した後に払出動作を停止し、少なくとも設定した休止時間が経過するまで前記払出動作の停止を継続し、前記異常判断手段は、前記休止時間よりも短い時間に設定された異常検出時間の間継続して異常を検出した場合に異常有りと判断することを特徴とする。
【手続補正３】
【補正対象書類名】明細書
【補正対象項目名】０００７
【補正方法】変更
【補正の内容】
【０００７】
請求項１の発明によれば、払出装置が複数個の遊技媒体の払出動作中に異常判断手段により異常有りと検出された場合、遊技媒体の未払出個数が停止払出個数以上の場合には、払出動作中の遊技媒体を前記停止払出個数払い出した後、次の遊技媒体の払出前に払出動作を停止し、少なくとも設定した休止時間が経過するまで前記払出動作の停止を継続し、一方、遊技媒体の未払出個数が停止払出個数未満の場合には、払出動作中の遊技媒体のうち未払出個数を払い出した後に払出動作を停止し、少なくとも設定した休止時間が経過するまで前記払出動作の停止を継続し、前記異常判断手段は、前記休止時間よりも短い時間に設定された異常検出時間の間継続して異常を検出した場合に異常有りと判断するため、素早く払出装置の払出動作を停止すると共に安定した動作停止位置にすることが可能となる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明によれば、払出装置が複数個の遊技媒体の払出動作中に異常判断手段により異常有りを検出した場合、遊技媒体の未払出個数が停止払出個数以上の場合には、払出動作中の遊技媒体を前記停止払出個数払い出した後、次の遊技媒体の払出前に払出動作を停止し、一方遊技媒体の未払出個数が停止払出個数未満の場合には、払出動作中の遊技媒体のうち未払出個数を払い出した後に払出動作を停止するため、素早く払出装置の払出動作を停止すると共に安定した動作停止位置にすることが可能となる。
【手続補正１３】
【補正対象書類名】明細書
【補正対象項目名】０１９０
【補正方法】変更
【補正の内容】
【０１９０】
また、前記払出装置は、払出スクリューにより払い出される遊技球が通る払出樋を、本実施例のような１条とするものに限られず、左右の２条等に複数に分かれているものについても本発明を適用することができる。
本実施例を概念化すると以下のようになる。
（１）．払出条件の成立に起因して遊技媒体を払い出す払出装置と、遊技機の異常有無検出を判断する異常判断手段と、前記異常判断手段により異常有りと判断されたことを起因に前記払出装置の払出動作の実行を停止する払出停止手段と、を備える遊技機において、前記払出停止手段は、前記払出装置が複数個の遊技媒体の払出動作中に前記異常判断手段により異常有りを検出された場合、前記払出動作中の遊技媒体を所定数払い出した後、次の遊技媒体の払出前に払出動作を停止することを特徴とする。
（１）によれば、払出装置が複数個の遊技媒体の払出動作中に異常判断手段により異常有りを検出された場合、払出動作中の遊技媒体を所定数（予め設定されている設定数）払い出した後、次の遊技媒体の払出前の位置で払出動作を停止するため、素早く払出装置の払出動作を停止すると共に安定した動作停止位置にすることが可能となる。
（２）．（１）において、前記複数個の遊技媒体の払出動作中に前記異常判断手段の判断結果を確認する異常判断確認手段を備え、前記払出停止手段は、前記異常判断確認手段による確認結果が異常有り判断となった場合であって、かつ前記遊技媒体の払出数が所定数になる前の場合には、前記払出数が所定数になった後、次の遊技媒体の払出前に払出動作を停止することを特徴とする。
（２）によれば、複数個の遊技媒体の払出動作中に異常判断手段の判断結果を確認し、異常判断確認手段による確認結果が異常有り判断となった場合であって、かつ遊技媒体の払出数が所定数になる前の場合には、遊技媒体の払出数が所定数になった後、次の遊技媒体の払出前に払出動作を停止するため、遊技媒体を所定数払い出した後に、素早く払出装置の払出動作を停止すると共に安定した動作停止位置にすることが可能となる。
（３）．（１）において、前記複数個の遊技媒体の払出動作中に前記異常判断手段の判断結果を確認する異常判断確認手段を備え、前記払出停止手段は、前記異常判断確認手段による確認結果が異常有り判断となった場合であって、かつ前記遊技媒体の払出数が所定数になった場合には、次の遊技媒体の払出前に払出動作を停止することを特徴とする。
（３）によれば、複数個の遊技媒体の払出動作中に異常判断手段の判断結果を確認し、異常判断確認手段による確認結果が異常有り判断となった場合であって、かつ遊技媒体の払出数が所定数になった場合には、次の遊技媒体の払出前に払出動作を停止するため、遊技媒体を所定数払い出した後に、素早く払出装置の払出動作を停止すると共に安定した動作停止位置にすることが可能となる。
（４）．（１）から（３）の何れか一項において、前記異常判断手段により異常有りと判断されたことを起因に、異常報知を実行する異常報知手段を備えたことを特徴とする。
（４）によれば、異常有りの場合には異常と判断して異常報知するため異常状態を認識することが可能である。
（５）．（１）から（４）の何れか一項において、前記異常判断手段による遊技機の異常有無検出判断は、前記払出装置の異常検出或いは前記払出装置によって払い出された遊技媒体を貯留する貯留部の満タン状態或いは前記払出装置へ供給する遊技媒体の有無状態或いは遊技領域に設けられた遊技媒体の入賞口における遊技媒体の有無状態の少なくとも１つについて行うことを特徴とする。
（５）によれば、払出装置の異常検出或いは遊技媒体を貯留する貯留部の満タン状態或いは払出装置へ供給する遊技媒体の有無状態或いは遊技領域に設けられた遊技媒体の入賞口における遊技媒体の有無状態（球詰まり有無）に対して適用することが可能となる。